(57)【要約】  本発明は、ガス弁を通じてガスを所定圧力以上に供給することで炎孔を通じて噴出される混合気の噴出速度を所定速度以上に維持し、炎孔の開放された面積を調節することで低出力であってもバックファイアの発生を防止する可変出力構造を有するバーナーを提供することを目的とする。この目的を実現するために、本発明は、燃焼室側に露出される面に多数の炎孔が設けられた炎孔板；及び燃焼装置で要求される負荷量に応じ、各炎孔の開放されたサイズを調節することで出力を変える炎孔サイズ調節ユニット；を含む。
2010530053.tif 000002
【特許請求の範囲】
【請求項１】
燃焼室側に露出される面に多数の炎孔が設けられた炎孔板；及び
燃焼装置で要求される負荷量に応じ、各炎孔の開放されたサイズを調節することで出力を変える炎孔サイズ調節ユニット；
を含む可変出力構造を備えるバーナー。
【請求項２】
前記炎孔板は、固定炎孔が設けられ、その位置が移動しない固定炎孔板を有し； 
前記炎孔サイズ調節ユニットは、前記固定炎孔板に接するように設けられ、前記固定炎孔板の固定炎孔に対応する位置に多数の可変炎孔を含んでおり、前記固定炎孔を通じて噴出される混合気の量を調節する移動可能な炎孔板を含む請求項１記載の可変出力構造を備えるバーナー。
【請求項３】
前記炎孔サイズ調節ユニットは、前記移動可能な炎孔板が前記固定炎孔板に接する状態で、前記移動可能な炎孔板の位置を変える駆動ユニットをさらに含む請求項２記載の可変出力構造を備えるバーナー。
【発明の詳細な説明】
【技術分野】
【０００１】
本発明は、可変出力構造を有するバーナーに関し、より詳細には、炎孔板の位置を調節することでバーナーの出力を調節することができる可変出力構造を有するバーナーに関する。
【背景技術】
【０００２】
一般的に、ガスボイラーにおいてガス燃料を燃焼する方法において、予混合バーナーの場合に、ガスと空気とを最適な燃焼に相当する混合比で予め混合した後、これを炎孔面に供給して燃焼させる。
【０００３】
図１は、従来の一般的なバーナーの構造を示す概略図である。
【０００４】
バーナーは、バーナー内部に供給されるガスの圧力を調節するガス弁１０、ガス弁１０を通じて供給されるガスを噴射するノズル２０、空気を供給してノズル２０から噴射されたガスと混合させる混合気流入口３０、混合気流入口３０を通じて混合気が供給されるバーナー４０の内部空間４１、及び内部空間４１に供給された混合気を燃焼室(図示せず)に噴出するための多数の炎孔４２aを含んでいる。
【０００５】
ガス弁１０は、燃焼装置で要求される負荷量が大きい場合、バーナーの高出力のためガスをバーナーに高圧で供給するように制御される。これに反して、燃焼装置で要求される負荷量が小さい場合、バーナーの低出力のためガスをバーナーに低圧で供給するように制御される。
【０００６】
上記の場合、炎孔４２aを通じて燃焼室の内部に噴出される混合気の噴出速度は、ガス弁１０の制御によって定められるガス圧力に依存する。つまり、ガス圧力が高い場合、炎孔４２aに噴出される混合気の噴出速度が速い。
【０００７】
しかしながら、前述した構造を有するバーナーでは、燃焼装置で要求される負荷量が小さい場合、ガスの供給圧力が低いと、燃焼室の内部に面した炎孔板４２の内側表面で火炎が発生する。結局、燃焼が非正常的に行われるという問題点が生じていた。
【０００８】
つまり、炎孔４２aを通じて噴出される混合気の噴出速度が所定速度以下である場合、火炎が炎孔板４２の内側表面で発生するバックファイア（ｂａｃｋｆｉｒｅ）が生じていた。
【発明の概要】
【発明が解決しようとする課題】
【０００９】
本発明は、上述した問題点を解決するために工夫したものであり、ガス弁を通じてガスを所定圧力以上に供給することで炎孔を通じて噴出される混合気の噴出速度を所定速度以上に維持し、炎孔の開放された面積を調節することで低出力であってもバックファイアの発生を防止する可変出力構造を有するバーナーを提供することを目的とする。
【課題を解決するための手段】
【００１０】
上述した目的を実現するため、本発明の可変出力構造を備えるバーナーは、燃焼室に露出される面に多数の炎孔が設けられた炎孔板、及び燃焼装置で要求される負荷量に応じ、各炎孔の開放されたサイズを調節することで出力を変へる炎孔サイズ調節ユニット；を含んでいる。
【００１１】
この場合、炎孔板は、固定炎孔が設けられ、その位置が移動しない固定炎孔板を有することができる。炎孔サイズ調節ユニットは、固定炎孔板に接するように設けられ、固定炎孔板の固定炎孔に対応する位置に多数の可変炎孔を含んでおり、固定炎孔を通じて噴出される混合気量を調節する移動可能な炎孔板を含むことができる。
【００１２】
本発明の炎孔サイズ調節ユニットは、移動可能な炎孔板が固定炎孔板に接する状態で、移動可能な炎孔板の位置を変える駆動ユニットをさらに含むことができる。
【発明の効果】
【００１３】
前述したように、本発明の可変出力構造を備えるバーナーでは、炎孔板に設けられた炎孔のサイズを調節することで、燃焼装置が低出力であってもバックファイアが生じなく、安定的に燃焼を行われる利点がある。
【図面の簡単な説明】
【００１４】
【図１】図１は、従来の一般的なバーナーの構造を示す概略図である。
【図２】図２は、本発明の一実施形態によるバーナーの炎孔板の断面を示す断面概略図である。
【図３】図３は、図２の構造において駆動ユニットによって移動可能な炎孔板の位置を移動させた状態を示す断面概略図である。
【発明を実施するための形態】
【００１５】
以下、添付された図を参照して、本発明の好ましい実施形態の構造及び作用を説明する。
【００１６】
図２は、本発明の一実施形態によるバーナーの炎孔板の断面を示す断面概略図であり、図３は、図２の構造において駆動ユニットによって移動可能な炎孔板の位置を移動させた状態を示す断面概略図である。
【００１７】
本発明は、ガス圧力を一定に維持した状態で、混合気を噴出する炎孔の開放されたサイズを調節することで、バーナーの出力を自由に調節することができるバーナーに関する。
【００１８】
図２を参照すると、従来技術と同様に、燃焼室に露出される面に多数の固定炎孔１１０aが設けられた固定炎孔板１１０がある。固定炎孔板１１０は、後述する移動可能な炎孔板１２０と異なってその位置が移動せず、図1で示す炎孔板４２と同一の形状及び構造を有する。
【００１９】
炎孔のサイズを調節することで、固定炎孔１１０aを通じて噴出される混合気の量を調節することができる。つまり、図１で示すガス弁１０を通じて供給されるガス圧力を一定に維持した状態で、混合気を噴出する固定炎孔１１０aの開放されたサイズを後述のように調節すると、供給されるガス圧力を減少することなく、低出力であっても安定的に燃焼が行われるようにガスを供給することができる。
【００２０】
このため、固定炎孔１１０aのサイズを調節する炎孔サイズ調節ユニット１２０，１３０を備える必要がある。
【００２１】
炎孔サイズ調節ユニットは、例えば、可変炎孔１２０aが設けられた移動可能な炎孔板１２０と、及び移動可能な炎孔板１２０の位置を変えるための駆動ユニット１３０を含むことができる。
【００２２】
移動可能な炎孔板１２０は、固定炎孔板１１０の一側面に接するように設けられ、固定炎孔板１１０の固定炎孔１１０aに対応する位置に可変炎孔１２０aを含んでおり、可変炎孔１２０aの数は固定炎孔１１０aと同数である。
【００２３】
この場合、移動可能な炎孔板１２０の位置が変わると、固定炎孔１１０aに対応する可変炎孔１２０aの相対的位置が変わり、固定炎孔１１０aの開放された面積が変わる。従って、固定炎孔１１０aを通じて噴出される混合気量が調節される。
【００２４】
駆動ユニット１３０は、例えば、移動可能な炎孔板１２０に連結しているステップモータ（図示せず）とすることができる。よって、燃焼装置で要求される負荷量に応じてステップモーターのＲ．Ｐ．Ｍ(ｒｅｖｏｕｔｉｏｎｓ  ｐｅｒ  ｍｉｎｕｔｅ，毎分回転数）を制御すると、移動可能な炎孔板１２０の移動距離が調節される。結局、固定炎孔１１０aの開放された面積が変わり、バーナーの出力が調節される。
【００２５】
つまり、高出力が要求される場合には、図2のように固定炎孔１１０aが全開するように、移動可能な炎孔板１２０の位置が制御される。また、低出力が要求される場合には、図３のように固定炎孔１１０aが少し閉じるように、移動可能な炎孔板１２０の位置が制御される。
【００２６】
このような構造にすることにより、燃焼装置で低出力が要求される場合にも、ガス圧力を所定以上の圧力に維持することができるので、固定炎孔１１０aを通じて噴出される混合気の噴出速度を所定速度以上に維持することができる。従って、火炎が固定炎孔板１１０の内側表面で生じるバックファイアの発生を防止することができる。
【００２７】
図2及び図3で示す実施形態においては、移動可能な炎孔板１２０が駆動ユニット１３０によって制御される。しかしながら、移動可能な炎孔板１２０を駆動ユニット１３０無しに手動で操作できるのは当業者に自明である。
【００２８】
以上、本発明について例示的な実施形態に基づいて説明したが、本発明の技術分野に属する通常の知識を有する者であれば、本発明の範囲及び要旨を外れずに種々の変形及び変更が可能であることは自明である。
【図１】
2010530053.tif 000003
【図２】
2010530053.tif 000004
【図３】
2010530053.tif 000005
【国際調査報告】
2010530053.tif 000006
2010530053.tif 000007